(57)【要約】【課題】  ケーブル固定ヘッドの提供。【解決手段】  コネクタ、該コネクタに組み合わされる緊迫部品、該コネクタと該緊迫部品に組み合わされる保護管で構成され、該コネクタの任意の接合部に複数の挟持片が接続され、緊迫部品とコネクタの接合部が接合される時、該緊迫部品の押圧面が強制的に挟持片に保護管の凹部中を挟持させ、保護管の脱出を防止する。【選択図】        図１
0003114132.tif 000002
【実用新案登録請求の範囲】
【請求項１】
ケーブル固定ヘッドにおいて、
コネクタであって、本体を具え、該本体に当接部が設けられ、該当接部の前後の本体上にそれぞれ接合部を具え、そのうち一つの接合部の前端に複数の挟持片が接続された、上記コネクタと、
緊迫部品であって、上述の挟持片に接続された接合部に組み合わされ、嵌合部と穿孔を具え、嵌合部と穿孔の間に押圧面が形成された、上記緊迫部品と、
保護管であって、上述のコネクタ内部に組み合わされ、表面に複数の凸環が形成され、各凸環の間に凹部が形成された、上記保護管と、
を包含し、上述の保護管がコネクタの本体内部に組み合わされた後、緊迫部品の押圧面が強制的に挟持片に保護管の凹部中を挟持させて、保護管の脱出を防止することを特徴とする、ケーブル固定ヘッド。
【請求項２】
請求項１記載のケーブル固定ヘッドにおいて、挟持片が弾性を具えたことを特徴とする、ケーブル固定ヘッド。
【請求項３】
請求項２記載のケーブル固定ヘッドにおいて、挟持片に挟持部が設けられたことを特徴とする、ケーブル固定ヘッド。
【請求項４】
請求項１又は請求項３記載のケーブル固定ヘッドにおいて、挟持片の挟持部がフック状とされて保護管の凹部を係止することを特徴とする、ケーブル固定ヘッド。
【請求項５】
請求項１記載のケーブル固定ヘッドにおいて、コネクタ内にブシュが配置されたことを特徴とする、ケーブル固定ヘッド。
【請求項６】
請求項５記載のケーブル固定ヘッドにおいて、ブシュが開放端を具え、該ブシュの別端が閉合端とされ、該閉合端に切り裂き線が設けられて、切り裂き線が薄膜領域を画定することを特徴とする、ケーブル固定ヘッド。
【請求項７】
請求項６記載のケーブル固定ヘッドにおいて、ブシュの内壁に挟持部が凸設され、この挟持部が保護管の凹部を挟持することを特徴とする、ケーブル固定ヘッド。
【考案の詳細な説明】
【技術分野】
【０００１】
本考案は一種のケーブル固定ヘッドに係り、特に、有効に保持でき、且つ外力の影響により保護管が脱出することがなく、また防水、防塵で、虫の進入による設備システムの破壊を防止し、設備システムの安全を確保するケーブル固定ヘッドの構造に関する。
【背景技術】
【０００２】
特許文献１に記載の電線保護管とコネクタの結合構造は、保護管が表面に環状構造を具えた軟管とされ、別にコネクタは本体と螺合体で構成され、且つ本体内にＯリングが設けられ、その特徴は以下のとおりである。コネクタの螺合体が保護管の外環面に嵌合され、その後、保護管末端に位置制限部品が嵌合され、更にコネクタの本体と螺合体が螺合され、並びに位置制限部品が緊迫されて一体に結合され、該位置制限部品は中空環体とされ、その環面上端に斜角が設けられ、且つ環面に弾性を有する複数の位置制限片が形成され、位置制限片の内環面上端にフックが設けられ、フックが保護管の環状構造の凹部に係合され、外側面上端に斜凸部が設けられ、斜凸部が本体内環面の圧迫を受け、保護管、位置制限部品とコネクタの三者が密接に一体に結合される。
【０００３】
上述の位置制限片はフックを利用して保護管の凹部を係止しており、保護管が外力の影響により脱出するのを防止している。しかし、実際の運用時には、この位置制限片は数点で保護管の環状構造の凹部内を係止しているだけであり、３５０度で保護管の凹部を係止しているわけではない。更に、位置制限片の別面と本体内壁の間には間隙が存在し、この間隙が位置制限片自身の弾性変形量の空間を提供し、このため位置制限片が古くなると自身の弾力により保護管を挟持することができなくなり、保護管が外力を影響を受けて脱出することがあり、保護管内部に配置されたケーブルが完全に保護されなくなり、防水、防塵、虫の進入による設備システム破壊防止の機能が失われる。
【０００４】
【特許文献１】台湾特許公報第２９５３１７号明細書
【考案の開示】
【考案が解決しようとする課題】
【０００５】
本考案の主要な目的は、上述の欠点を解決し、欠点の存在を防止することにあり、即ち本考案は一種のケーブル固定ヘッドを提供し、それは、固定ヘッドが有効に環状に保護管を挟持でき、保護管が外力の影響を受けて固定ヘッドから脱出することがないものとする。
【０００６】
上述の目的を達成するため、本考案のケーブル固定ヘッドは、コネクタ、該コネクタに組み合わされる緊迫部品、該コネクタと該緊迫部品に組み合わされる保護管で構成され、該コネクタの任意の接合部に複数の挟持片が接続され、緊迫部品とコネクタの接合部が接合される時、該緊迫部品の押圧面が強制的に挟持片に保護管の凹部中を３６０度を以て完全に挟持させ、保護管の脱出を防止する。
【課題を解決するための手段】
【０００７】
請求項１の考案は、ケーブル固定ヘッドにおいて、
コネクタであって、本体を具え、該本体に当接部が設けられ、該当接部の前後の本体上にそれぞれ接合部を具え、そのうち一つの接合部の前端に複数の挟持片が接続された、上記コネクタと、
緊迫部品であって、上述の挟持片に接続された接合部に組み合わされ、嵌合部と穿孔を具え、嵌合部と穿孔の間に押圧面が形成された、上記緊迫部品と、
保護管であって、上述のコネクタ内部に組み合わされ、表面に複数の凸環が形成され、各凸環の間に凹部が形成された、上記保護管と、
を包含し、上述の保護管がコネクタの本体内部に組み合わされた後、緊迫部品の押圧面が強制的に挟持片に保護管の凹部中を挟持させて、保護管の脱出を防止することを特徴とする、ケーブル固定ヘッドとしている。
請求項２の考案は、請求項１記載のケーブル固定ヘッドにおいて、挟持片が弾性を具えたことを特徴とする、ケーブル固定ヘッドとしている。
請求項３の考案は、請求項２記載のケーブル固定ヘッドにおいて、挟持片に挟持部が設けられたことを特徴とする、ケーブル固定ヘッドとしている。
請求項４の考案は、請求項１又は請求項３記載のケーブル固定ヘッドにおいて、挟持片の挟持部がフック状とされて保護管の凹部を係止することを特徴とする、ケーブル固定ヘッドとしている。
請求項５の考案は、請求項１記載のケーブル固定ヘッドにおいて、コネクタ内にブシュが配置されたことを特徴とする、ケーブル固定ヘッドとしている。
請求項６の考案は、請求項５記載のケーブル固定ヘッドにおいて、ブシュが開放端を具え、該ブシュの別端が閉合端とされ、該閉合端に切り裂き線が設けられて、切り裂き線が薄膜領域を画定することを特徴とする、ケーブル固定ヘッドとしている。
請求項７の考案は、請求項６記載のケーブル固定ヘッドにおいて、ブシュの内壁に挟持部が凸設され、この挟持部が保護管の凹部を挟持することを特徴とする、ケーブル固定ヘッドとしている。
【考案の効果】
【０００８】
本考案のケーブル固定ヘッドは、コネクタ、該コネクタに組み合わされる緊迫部品、該コネクタと該緊迫部品に組み合わされる保護管で構成され、該コネクタの任意の接合部に複数の挟持片が接続され、緊迫部品とコネクタの接合部が接合される時、該緊迫部品の押圧面が強制的に挟持片に保護管の凹部中を挟持させ、保護管の脱出を防止する。
【考案を実施するための最良の形態】
【０００９】
図１、２は、本考案の保護管、コネクタ、ケーブルの構造分解図及び断面図である。図示されるように、本考案のケーブル固定ヘッドは、コネクタ１、該コネクタ１に組み合わされる緊迫部品２、該コネクタ１と該緊迫部品２に組み合わされる保護管３で構成され、保護管３内部に配置されたケーブルを保護する固定ヘッドである。
【００１０】
上述のコネクタ１は中空本体１１を具え、該本体１１に当接部１２が設けられ、該当接部１２の前後の本体１１にネジ山を具えた接合部１３、１４が設けられ、前述の接合部１３に螺合部品１５が螺合され、前述の接合部１３が固定物４に通された後に、螺合部品１５が接合部１３に螺合されることにより、コネクタ１が固定物４に固定される。また、もう一つの接合部１４の前端に弾性を具えた複数の挟持片１６が接続され、各挟持片１６にフックを具えた挟持部１６１が設けられ、この挟持片１６が緊迫部品２内部の押圧を受けた後、挟持片１６の挟持部１６１が内向きに保護管３の凹部３２を挟持する。
【００１１】
該緊迫部品２は中空体とされ、その内部にネジ山が設けられて前述の接合部１４と螺合される嵌合部２１と穿孔２２があり、該嵌合部２１と穿孔２２の間に斜面状態を呈する押圧面２３が形成され、この押圧面２３が強制的に上述の挟持片１６を内縮させて保護管３を緊密挟持させる。
【００１２】
保護管３は中空体とされ、その表面に複数の凸環３１が形成され、各凸環３１の間に凹部３２が形成され、保護管３がコネクタ１の本体１１内部に組み合わされた後、緊迫部品２がコネクタ１の本体１１に組み合わされ、押圧面２３が強制的に挟持片１６の挟持部１６１に内向きに保護管３の凹部３２を挟持させ、保護管３の脱出を防止する。
【００１３】
図３〜図５は図１の固定ヘッドの組合せと側面断面動作を示す。図示されるように、本考案を運用する時は、コネクタ１の本体１１の接合部１３を固定物４に通した後、螺合部品１５を接合部１３に螺合し、コネクタ１を該固定物４に固定する。
【００１４】
上述のコネクタ１の本体１１を固定物４に固定した後、先ず緊迫部品２を本体１１のもう一つの接合部１４に組合せ、この時、緊迫部品２は未だ螺合せず（挟持片１６が押圧面２３と未接触）、保護管３を緊迫部品２の穿孔２２よりコネクタ１の本体１１内部に挿入でき、緊迫部品２を本体１１の当接部１２に向けて螺合する時、緊迫部品２内部の押圧面２３に各挟持片１６を押圧させ、各挟持片１６を内縮状態となす。挟持片１６が内縮状態を呈する時、該挟持片１６の挟持部１６１が外力と逆方向に内向きに保護管３の凹部３２中に係合し、保護管３が強烈な外力により脱出するのを防止する。
【００１５】
上述のコネクタ１、緊迫部品２、及び保護管３の組合せが完成した後、更にケーブル５をコネクタ１の本体１１の別端より挿入し、更に直接保護管３中に挿入する。この時、保護管３が外力の影響を受けても、挟持片１６が有効に保護管３を保持し、保護管３の脱出を防止でき、これにより有効にケーブル５を保護できる。
【００１６】
図６〜９は本考案の別の実施例の分解図及び側面断面図及び側面断面動作表示図である。図示されるように、この実施例は上述の実施例の構造とほぼ同じであるが、異なるところは保護管３がコネクタ１の本体１１内部に組み合わされ、該本体１１内部にブシュ６が設けられ（図７参照）、ケーブル５の挿入時に、先ずケーブル５をブシュ６中に挿入し、該ブシュ６は開放端６１を具え、別端は閉合端６２とされ、この閉合端６２が薄膜状態を形成し、ケーブル５にブシュ６の閉合端６２が挿通される時、該閉合端６２のゴム材質が切り裂き線６３に沿って破裂し、ケーブル５が挿通され、ケーブル５が通過した後、切り裂かれた閉合端６２材質がケーブル５表面上を被覆し、該ブシュ６の内壁に挟持部６４が設けられ、この挟持部６４が３６０度を以て保護管３の凹部３２内を緊密に挟持し、施工前及び施工後にあって、防水、防塵、及び虫の進入による設備システムの破壊を防止する機能を達成し、設備システムの安全を確保できる。
【図面の簡単な説明】
【００１７】
【図１】本考案の保護管、コネクタ、ケーブルの構造分解図である。
【図２】図１の断面図である。
【図３】図１のコネクタ組合せ表示図である。
【図４】本考案の側面断面動作表示図である。
【図５】本考案の側面断面動作表示図である。
【図６】本考案の別の実施例の分解図である。
【図７】本考案の別の実施例のブシュとコネクタの組合せの側面断面図である。
【図８】本考案の別の実施例の側面断面動作表示図である。
【図９】本考案の別の実施例の側面断面動作表示図である。
【符号の説明】
【００１８】
１  コネクタ
１１  本体
１２  当接部
１３、１４  接合部
１５  螺合部品
１６  挟持片
１６１、６４  挟持部
２  緊迫部品
２１  嵌合部
２２  穿孔
２３  押圧面
３  保護管
３１  凸環
３２  凹部
４  固定物
５  ケーブル
６  ブシュ
６１  開放端
６２  閉合端
６３  切り裂き線
【図１】
0003114132.tif 000003
【図２】
0003114132.tif 000004
【図３】
0003114132.tif 000005
【図４】
0003114132.tif 000006
【図５】
0003114132.tif 000007
【図６】
0003114132.tif 000008
【図７】
0003114132.tif 000009
【図８】
0003114132.tif 000010
【図９】
0003114132.tif 000011